(57)【要約】【課題】  従来のサプリメント提供システムは、提案されたサプリメントの組合せや配合量を購入者は変更することができず、価格や配合量などの点で納得した上でのサプリメントの提供を受けることができなかった。【解決手段】  上記課題を解決するために、本発明は、回答入力に基づき最適なサプリメントの組み合わせを提供するとともに、予算に応じてその組み合わせを変更することのできるサプリメントリコメンド装置（０１００）を提供する。また、サプリメントの組み合わせを修正することのできるサプリメントリコメンド装置を提供する。【選択図】図１
2007058693.tif 000002
【特許請求の範囲】
【請求項１】
質問を表示するための質問表示部と、
表示された質問に対する回答入力を受け付ける回答入力受付部と、
回答入力に基づいてサプリメント組合せを示す一次算出結果を算出する一次算出部と、
一次算出結果と、その予算額を表示する一次結果表示部と、
予算額の修正を受け付ける予算修正入力受付部と、
予算修正入力に基づいてサプリメント組合せを示す二次算出結果を算出する二次算出部と、
を有するサプリメントリコメンド装置。
【請求項２】
二次算出結果を表示する二次算出結果表示部と、
二次算出結果のサプリメント組合せの組合修正入力を受け付ける組合修正入力受付部と、
組合修正入力に基づいて組合修正結果を表示する三次結果表示部と、
を有する請求項１に記載のサプリメントリコメンド装置。
【請求項３】
一次算出結果と二次算出結果とを取得し、両結果の比較結果に基づいた表示をする第一比較表示部を有する請求項１又は２に記載のサプリメントリコメンド装置。
【請求項４】
一次算出結果と組合修正結果とを取得し、両結果の比較結果に基づいた表示をする第二比較表示部を有する請求項２又は３に記載のサプリメントリコメンド装置。
【請求項５】
結果に基づいてサプリメント補給により得られる必要な成分の充足度を表示する充足度表示部を有する請求項１から４のいずれか一に記載のサプリメントリコメンド装置。
【請求項６】
質問を表示する質問表示ステップと、
前記質問に対する回答入力を受け付ける回答入力受付ステップと、
前記回答入力に基づいてサプリメント組合を示す一次算出結果を算出する一次算出ステップと、
前記一次算出結果と、その予算額を表示する一次結果表示ステップと、
前記予算額の修正入力を受け付ける予算修正入力受付ステップと、
前記予算修正入力に基づいてサプリメント組合せを示す二次算出結果を算出する二次算出ステップと、
を有するサプリメントリコメンド装置の動作方法。
【請求項７】
前記二次算出結果を表示する二次算出結果表示ステップと、
前記二次算出結果のサプリメント組合せの組合修正入力を受け付ける組合修正入力受付ステップと、
前記組合修正入力に基づいて組合修正結果を表示する三次結果表示ステップと、
をさらに有する請求項１に記載のサプリメントリコメンド装置の動作方法。
【発明の詳細な説明】
【技術分野】
【０００１】
本発明は、最適なサプリメントの組み合わせを提供し、最終的には購入者の決定に基づいてサプリメントを提供するオーダーメイドサプリメントリコメンド装置及びその動作方法に関する。
【背景技術】
【０００２】
健康であるための最も単純な方法は、必要な栄養素を満たした偏りのない食事をし、規則正しい生活と適度な運動を行うことである。しかし、現代社会においては、食生活の乱れ、睡眠不足、運動不足などが解消できず、肥満や生活習慣病などの疾患が多くなっている。このうち特に、食生活の乱れを補うために手軽に栄養素を摂取することのできるサプリメントが注目されている。
【０００３】
コンビニエンスストアやドラッグストアには、健康食品コーナーが設けられ、種々の健康食品、サプリメントが並べられている。それらのサプリメントの価格は、単一成分のサプリメントであっても、また複数の成分を含有している複合サプリメントでは、そのわずかな成分の違いや含有量の違いにより、大きな差があった。購入者は、その中から自分に合ったサプリメント等を選ばなくてはならず、納得のいくサプリメントの購入は困難であった。
【０００４】
上記のサプリメント購入の困難さを解決するために、本発明者らは問診に基づいた生活指導による体外からの改善に加えて、ＤＮＡ検査や尿検査にも基づいて最適なサプリメントを選択する生活指導装置を提供している（特許文献１）。しかし、該生活指導装置は、最適なサプリメントの組み合わせを購入者に提案するものであるが、提案されたサプリメントの組み合わせが必ずしも購入者の希望するサプリメントの組み合わせ及び価格ではなかった。その課題を解決するためのサプリメントに関する種々の情報を提供し、購入者がサプリメントを選択することのできる技術がすでに知られている（特許文献２）。
【特許文献１】特開２００４−１１０４０６
【特許文献２】特開２００４−２７２６１８
【発明の開示】
【発明が解決しようとする課題】
【０００５】
しかし、上記特許文献２のサプリメント調合システムは、サプリメントごとに購入者が購入するか否かを決定することができるが、数量の調整を行うことはできなかった。また、服用日数を変更し購入価格を変更することができるが、服用日数を少なくすることは、一回の購入額を減少させるもので、栄養素の補充という目的に合ったものではなかった。
【課題を解決するための手段】
【０００６】
上記課題を解決するために、本発明は、回答入力に基づき最適なサプリメントの組み合わせを提供するとともに、予算に応じてその組み合わせを変更することのできるサプリメントリコメンド装置を提供する。また、本発明は、さらに好ましい態様として、サプリメントの組み合わせを修正することのできるサプリメントリコメンド装置を提供する。また、本発明は、最適なサプリメントの組み合わせと予算修正結果又は組合修正結果とを比較し、表示することのできるサプリメントリコメンド装置を提供する。また、本発明は、サプリメントの組み合わせ結果に基づいてサプリメント補給により得られる必要な成分の充足度を表示することのできるサプリメントリコメンド装置を提供する。
【発明の効果】
【０００７】
以上のような構成をとる本発明によって、質問に回答することにより最適なサプリメントの組み合わせを提案するとともに、購入者の予算の上限を設定することにより、予算の範囲内で最適なサプリメントの組み合わせに変更することができるため、購入者は納得の上サプリメントを購入することができる。またサプリメントごとの数量を増減できるため、購入者の希望により合ったサプリメントを提供することができる。
【発明を実施するための最良の形態】
【０００８】
以下に図面を用いて本発明の実施の形態を説明する。なお、本発明は、これらの実施の形態に限定されるものではなく、その要旨を逸脱しない範囲において、種々なる態様で実施しうる。なお、実施形態１は、主に請求項１、６について説明する。実施形態２は、主に請求項２、７について説明する。実施形態３は、主に請求項３について説明する。実施形態４は、主に請求項４について説明する。実施形態５は、主に請求項５について説明する。
≪実施形態１≫
<実施形態１の概要>
【０００９】
Ａさんはダイエットするにあたり、適切なサプリメントを摂取したいと考えている。そこで、本実施形態のサプリメントリコメンド装置を用い、質問に回答し、ベストサプリメントを得た。Ａさんのベストサプリメントの組み合わせは、一日あたり９００円と提案されたが、一日あたり９００円はＡさんにとって高いと思われた。そこでＡさんは、一日あたり５００円までならよいと考え、予算を５００円に変更し、５００円の範囲内での最適なサプリメントの組み合わせを得ることができた。
<実施形態１の構成>
【００１０】
図１本実施形態での機能ブロックの一例を示した。本実施形態の「サプリメントリコメンド装置」（０１００）は、「質問表示部」（０１０１）と、「回答入力受付部」（０１０２）と、「一次算出部」（０１０３）と、「一次結果表示部」（０１０４）と、「予算修正入力受付部」（０１０５）と、「二次算出部」（０１０６）とを有する。
【００１１】
本発明の構成要素である各部は、ハードウエア、ソフトウエア、ハードウエアとソフトウエアの両者、のいずれかによって構成される。例えば、これらを実現する一例として、コンピュータを利用する場合には、ＣＰＵ、メモリ、バス、インターフェイス、周辺機器などから構成されるハードウエアと、それらのハードウエア上にて実行可能なソフトウエアを挙げることができる。具体的には、メモリ上に展開されたプログラムを順次実行することで、メモリ上のデータや、インターフェイスを介して入力されるデータの加工、蓄積、出力などにより、各部の機能が実現される。（本明細書の全体を通じて同様である。）
【００１２】
各構成要素を説明する前に、サプリメントについて説明する。「サプリメント」とは、食事を補うための食品をいい、成分等が特定されたものではない。単一成分に限られず、植物抽出物などの複合成分を一つにまとめたものであってもよい。本明細書においては、少なくともビタミンＡ、ビタミンＢ、ビタミンＣ、ビタミンＥ、カルシウム、マグネシウム、鉄、亜鉛、キトサン、コエンザイムＱ１０、セラミド、Ｌ−カルニチン、大豆ペプチド、グルコサミン、ルチンを含むサプリメント及びイチョウ葉、ローヤルゼリー、ウコンなどの多成分を含むサプリメントをいう。さらに、上記以外のサプリメントを含んでいてもよい。
【００１３】
「質問表示部」（０１０１）は、質問を表示するように構成されている。図１３は、質問表示部の表示の一例を示す図である。「質問」とは、生活習慣に関する質問をいい、例えば医師の監修のもと作成されたものが挙げられる。生活習慣に関する質問とは、回答者の生活環境、食生活などの必要栄養素に影響を与える要因を調べるための質問である。質問の回答から回答者が現在不足していると思われるサプリメントの種類及びその不足量を判断する。このとき、提供するサプリメントの種類に対応する質問が少なくとも各一問以上されるように質問内容及び質問数を調整する。例えば、「最近イライラすることがあるか？」という質問は、イライラしている場合にはＣａやＭｇが不足していることが多いため、ＣａやＭｇを摂取すべきかどうかを判断することが可能となる。また、質問は一通りとしてもよいし、サプリメントの摂取目的に合った質問にしてもよい。例えば、アンチエイジング用、ダイエット用、美肌用などのように複数の質問リストを保持しておき、回答者が目的に応じて質問内容を選択できるようにしてもよい。また、性別や年齢により、異なる質問としてもよい。質問表示部は、これらの質問を表示するディスプレーなどで実現され、質問に対する回答をチェックボタンにより選択できるように表示している。質問に対する回答は、ＹＥＳ、ＮＯによる二択でも、３段階、５段階など種々の選択数であってもよく、各回答に応じた不足していると思われるサプリメントの不足量を設定しておく。例えば、前記「最近イライラすることがあるか？」の質問に対して、「ほぼ毎日、時々ある、ほとんどない」の３つの回答を用意していた場合には、カルシウムの不足量を「ほぼ毎日」との回答に対しては２００ｍｇ、「時々ある」の回答に対しては１００ｍｇ、「ほとんどない」の回答に対しては５０ｍｇのように設定することができる。また、カルシウムの不足量は、前記の例のように成分量で表してもよいし、成型された錠剤などのサプリメントの個数で表してもよい。成分量で表した場合には、後に、サプリメントの個数に変換する必要がある。
【００１４】
「回答入力受付部」（０１０２）は、表示された質問に対する回答入力を受け付けるように構成されている。前記質問表示部（０１０１）に表示された質問に対し、回答者はキーボードやマウスなどの入力手段により、ＹＥＳ、ＮＯ等の回答を入力する。入力された回答は所定の条件を満たした場合に、回答入力受付部にて受け付けられる。所定の条件とは、例えば、回答者の名前や住所等の情報を入力し登録していること、質問に対する回答に矛盾がないこと、すべの質問に回答していることなどが挙げられるが、これらに限定されるものではなく、種々設定することができる。
【００１５】
「一次算出部」（０１０３）は、回答入力に基づいてサプリメント組合せを示す一次算出結果を算出するように構成されている。図２は、一次算出部の構成の一例を示す概略図である。一次算出部（０２００）は、一次算出結果を算出するために、「不足量テーブル」（０２０１）と、「最大不足量テーブル」（０２０２）と、「一日上限摂取量テーブル」（０２０３）とを保持している。
【００１６】
図３（ａ）は、不足量テーブルの一例を示している。「不足量テーブル」（０２０１）は、前述の「最近イライラすることがあるか？」の質問のように一の質問の各回答ごとに不足しているサプリメントの種類及び不足量を関連付けたテーブルをいう。図３（ａ）においては、サプリメントの不足量を錠剤の個数で表している。例えば、質問１において、回答１と回答した場合のサプリメントの不足量は２錠、回答２の場合には１錠、回答３の場合には０．５錠となっている。一の質問に対し不足しているとするサプリメントの種類は一種類に限られず、複数であってもよい。
【００１７】
図３（ｂ）は、最大不足量テーブルの一例を示している。「最大不足量テーブル」（０２０２）は、サプリメント服用の目的、年齢、性別などにより選択されたい質問において、各回答のうちサプリメントの不足量が最大となるものを選択し、各サプリメントごとに合計した最大不足量の情報を保持している。例えば、図３（ａ）において、ビタミンＡ及びＢの不足量を問う問題がそれぞれ質問１及び２の一問ずつであった場合には、ビタミンＡ及びＢの最大不足量はそれぞれ２となり、図３（ｂ）のように２が最大不足量テーブルに保持されている。これに対し、サプリメントＸＸＸは、図３（ａ）の質問Ｎにおいて、最大の不足量は３であるが、図３（ｂ）においては５となっている。これは、サプリメントＸＸＸの不足量を問う質問が質問Ｎだけでなく、他にもあるためである。
【００１８】
図３（ｃ）は、一日上限摂取量テーブルの一例を示している。「一日上限摂取量テーブル」（０２０３）は、一日に摂取することができる各サプリメントの最大量を示す一日上限摂取量の情報を保持している。サプリメントの不足は、疾患を引き起こすことがよく知られているが、過剰な摂取によっても健康に影響を与える場合がある。そのため、一日上限摂取量以上にサプリメントの量がならないように、一日上限摂取量テーブルは利用される。
【００１９】
まず、前記回答入力受付部にて受け付けた回答（０２０４）から、前述したように回答者の現在の不足していると思われるサプリメントの種類及びその不足量（０２０５）を判断する。受け付けた回答から不足量テーブル（０２０１）を用い、サプリメントの不足量（０２０５）を算出し、各サプリメントごとの不足量を示す合計不足量（０２０６）を算出する。さらに、サプリメントの摂取目的、年齢、性別などにより、各サプリメントの一日あたりの最低摂取量を設定しておき、合計不足量に加算するようにしてもよい。次に、回答された質問の最大不足量（０２０７）を、最大不足量テーブル（０２０２）を用い算出する。最後に、一日上限摂取量テーブル（０２０３）を用い、最大不足量を一日上限摂取量（０２０８）とした時の各サプリメントの不足量（＝配合量）（０２０９）を次の数式にて算出する。
【数１】
2007058693.tif 000003
算出された配合量（０２０９）のサプリメントがベストサプリメントであり、このベストサプリメントの組み合わせを「一次算出結果」（０１１０）という。一日上限摂取量にて補正することにより、図３（ｂ）（ｃ）のサプリメントＸＸＸのように最大不足量が一日上限摂取量以上であった場合にも、配合量が一日上限摂取量以上にならないようにすることができる。配合量が整数とならなかった場合には、四捨五入等を行い配合量が整数となるようにする。
【００２０】
また、別に各サプリメントの一錠あたりの栄養素量、価格、服用タイミングなどのサプリメント情報も保持しておく。服用タイミングとは、朝食時、昼食時、夕食時等のいずれの時間にサプリメントを服用すべきであるかという、サプリメントの服用時機をいう。夜間睡眠時に消費される栄養素や、日中に消費される栄養素があり、それらの栄養素の働きを最大限に発揮させることのができるように、サプリメントの服用タイミングの情報を保持しておく。これらのサプリメント情報と算出したベストサプリメントの組み合わせから、一日あたりの価格及び一月あたりの価格、服用タイミング（朝、昼、晩）ごとの量を算出する。服用タイミングの指定がない場合には、他の服用時機の配合数と比較し、偏りがないように調整するようにする。
【００２１】
「一次結果表示部」（０１０４）は、一次算出結果（０１１０）と、その予算額（０１１１）を表示するように構成されている。一次算出部（０１０３）にて算出したサベストサプリメントの組み合わせと、その一日あたりの価格と、一月あたりの価格を表示し、ベストサプリメントの組み合わせは、さらに服用タイミングごとに表示する。これまでのプロセスにおいて、サプリメントの価格に関する情報は表示されず、純粋なベストサプリメントの組み合わせが算出されるように、一次結果表示部において始めて価格表示を行う。ベストサプリメントの組み合わせ及び一日あたりの価格の表示は、回答者が変更可能なように表示しておく。また、サプリメントごとの価格を詳細表示できるようにしてもよい。
【００２２】
「予算修正入力受付部」（０１０５）は、予算額（０１１１）の修正を受け付けるように構成されている。「予算」とは、サプリメント組合せの価格をいい、一日当たりの価格であっても一月あたりの価格であってもよい。しかし、サプリメントは毎日服用するものであるため、一日当たりの価格の方が実感があり、以下の説明では一日あたりの価格として説明する。予算修正入力受付部では、前記一次結果表示部（０１０４）にて表示されている一日当たりの価格を変更することができる。例えば、ベストサプリメントが一日あたり９００円であった場合には、一月では２７０００円となり高すぎると回答者が感じる場合がある。この場合に予算修正入力受付部では、キーボード入力などの入力手段により９００円を５００円のように変更することができる。
【００２３】
「二次算出部」（０１０６）は、予算修正入力に基づいてサプリメント組合せを示す二次算出結果を算出するように構成されている。「予算修正入力」とは、前記予算修正入力受付部（０１０５）にて受け付けた入力値をいう。前述のように、５００円という予算修正入力を受け付けた場合には、４００円（９００円−５００円）分のサプリメントを一次算出結果から削除する処理をする。具体的には、一次算出結果で示されるサプリメントのなかで一日上限摂取量に対し不足量が少ないものを特定する。つぎに、一次算出結果で示されるサプリメントのなかで人体にとって摂取優先順位の低いものを特定する。そして、前記不足量が少なく、かつ、摂取優先順位が低いものを選定し、総計額が４００円に達するまでそのサプリメントを削っていくようにする。サプリメント優先順位とは、生活する上で、優先的に摂取すべき栄養素の順番をいう。例えば、欠乏により疾患を発症してしまうものは優先順位を高く、摂取しなくても疾患等は発症しないが健康を考える上で摂取した方がよいような栄養素の優先順位は低い。これらのサプリメント優先順位は、前述のサプリメント情報に含まれ保持しておく。このようにして算出された一日あたりの価格が５００円以下となったサプリメント組合せを「二次算出結果」とする。
【００２４】
具体的には、サプリメントをグループに分類し、このサプリメントグループに基づいてサプリメントの削除を行う。図４にサプリメントグループの一例を示す。サプリメントグループは、優先順位の高いサプリメントや作用の似たサプリメントが同じグループにならないように分類したもので、二以上のグループに分類されている。例えば、ビタミンＡ、Ｂ、Ｃ、Ｅなどのビタミン群はどれも重要であるため、優先順位が高く設定され、同一のグループにならないようにするのが好ましい。
【００２５】
図５は、二次算出結果を算出する処理の一例を示している。まず、サプリメントグループの合計配合数を算出する（Ｓ０５０１）。このとき、グループ内のサプリメントの種類の数が違う場合には、合計配合数をサプリメントの種類数で割り、平均配合数にてグループを比較してもよい。サプリメントグループのうち、サプリメントの合計配合数の最も多いグループを選択する（Ｓ０５０２）。次に、配合修正処理を行う（Ｓ０５０３）。配合修正処理は、まず選択されたグループ内で、最大不足量に対し回答から得られたサプリメントの不足量が少なく、かつサプリメント優先順位の低いものを選択する。具体的には、サプリメントの不足量が少なく、かつサプリメント優先順位の低いサプリメントの順位を示す削除順位を算出することによって行う。削除順位は、最大不足量に対する回答から得られたサプリメントの不足量の割合とサプリメントの優先順位を乗算した値をいう。算出した削除順位の小さなサプリメントの個数を１減らし、一日あたりの価格を再計算する。続いて、修正された予算の範囲内かどうかを判定する（Ｓ０５０４）。予算の範囲内でない場合には（Ｓ０５０４ＹＥＳ）、修正されたサプリメントの個数を用い、サプリメントの合計配合数を算出し、合計配合数の最も多いグループを選択し、予算以下となるまでサプリメントの削除を行う（Ｓ０５０１〜Ｓ０５０４ＮＯ）。ただし、各サプリメントの一日あたりの最低摂取量を設定していた場合には、すでに最低摂取量であるサプリメントは削除されないようにしておく。最後に、削除されたサプリメントの中で、一錠あたりの価格が上記のようにして算出された一日あたりの価格と予算額との差額よりも小さいものがある場合には（Ｓ０５０５ＹＥＳ）、予算を超えない範囲で配合数を増加させ（Ｓ０５０６）、二次算出結果とする。
【００２６】
回答者が二次算出結果に満足した場合には、購入手続きをすることによって、サプリメントを購入者に提供することができる。サプリメントは、サプリメントリコメンド装置と連動させた分包機によって、自動で分包することが可能である。また、毎月決まった時期に同じ組み合わせのサプリメントを購入したい場合には、毎月自動で分包されるようにプログラムしておいてもよい。
<実施形態１の処理の流れ>
【００２７】
図６は、実施形態１の処理の流れの一例を示す図である。まず、質問を表示し（質問表示ステップ  Ｓ０６０１）、前記質問に対する回答入力を受け付ける（回答入力受付ステップ  Ｓ０６０２）。次に前記回答入力に基づいてサプリメント組合を示す一次算出結果を算出し、（一次算出ステップ  Ｓ０６０３）、一次算出結果と、その予算額を表示する（一次結果表示ステップ  Ｓ０６０４）。さらに、前記予算額の修正入力を受け付け（予算修正入力受付ステップ  Ｓ０６０５）、予算修正入力に基づいてサプリメント組合せを示す二次算出結果を算出する（二次算出ステップ  Ｓ０６０６）。また、予算修正入力は何度でも受け付けることが可能である。
【００２８】
以上の処理は、計算機に実行させるためのプログラムで実行させることができ、また、このプログラムを計算機によって読み取り可能な記録媒体に記録することができる。（本明細書の全体を通して同様である。）
<実施形態１の効果>
【００２９】
本実施形態のサプリメントリコメンド装置によれば、回答入力により回答者に最適なサプリメントの組み合わせ（ベストサプリメント）を提案することができる。さらに、予算額を変更することにより、予算の範囲内で最適なサプリメント組合せを提供することができる。
≪実施形態２≫
<実施形態２の概要>
【００３０】
Ａさんは実施形態１のサプリメントリコメンド装置によって予算の範囲内で最適なサプリメントを得ることができた。しかし、Ａさんは一ヶ月前に骨折したため、Ｃａを多く摂取したいと考えており、また以前に薬局でコエンザイムＱ１０を購入しており、まだ在庫を持っていた。この場合に、本実施形態のサプリメントリコメンド装置は、各サプリメントの個数を変更することができるため、ＡさんはＣａの量を増やし、コエンザイムＱ１０を購入しないようにすることができる。
<実施形態２の構成>
【００３１】
図７本実施形態での機能ブロックの一例を示した。本実施形態の「サプリメントリコメンド装置」（０７００）は、実施形態１を基本とし、「質問表示部」（０７０１）と、「回答入力受付部」（０７０２）と、「一次算出部」（０７０３）と、「一次結果表示部」（０７０４）と、「予算修正入力受付部」（０７０５）と、「二次算出部」（０７０６）とを有し、さらに「二次算出結果表示部」（０７０７）と、「組合修正入力受付部」（０７０８）と、「三次結果表示部」（０７０９）とを有することを特徴とする。
【００３２】
「二次算出結果表示部」（０７０７）は、二次算出結果を表示するように構成されている。二次算出部（０７０６）にて算出した予算修正入力に基づいたサプリメント組合せを示す二次算出結果（０７１２）を表示する。この時、一次結果表示部（０７０６）での一次算出結果（０７１０）の表示と同様に、サプリメントの組み合わせは、服用タイミングごとに表示し、その表示は、回答者が変更可能なように表示しておく。二次算出結果から再計算を行った一日あたりの価格及び一月あたりの価格も同時に表示を行う。
【００３３】
「組合修正入力受付部」（０７０８）は、二次算出結果（０７１２）のサプリメント組合せの組合修正入力を受け付けるように構成されている。「組合修正」とは、一日あたり及び服用タイミングあたりの各サプリメントの個数変更をいう。図８に組合修正の一例を示す。例えば、図８上の表のように、ビタミンＡは朝１、昼０、夜０、ビタミンＢは朝１、昼０、夜１という二次算出結果であった場合を考える。このとき、ビタミンＡを増やし、ビタミンＢは減らしたいと考えた場合には、キーボード入力などの入力手段により、図８下の表のようにビタミンＡは朝１、昼０、夜１、ビタミンＢは朝０、昼０、夜１と変更することができる。例では、朝と夜の配合量を変化させたが、服用タイミングを昼に変えるといった修正でもよい。また、例では各サプリメントの一日合計配合量は組合修正入力によって変化させていないが、組合修正入力を行うと同時に変化させるようにしてもよい。
【００３４】
「三次結果表示部」（０７０９）は、組合修正入力に基づいて組合修正結果（０７１３）を表示するように構成されている。「組合修正結果」（０７１３）とは、前記組合修正入力受付部（０７０８）にて受け付けた組合修正入力によって二次算出結果（０７１２）のサプリメント組合せを変更したサプリメントの組み合わせをいう。前述の場合には、ビタミンＡは朝１、昼０、夜１、ビタミンＢ群は朝０、昼０、夜１と表示する。この時、組合修正結果から再計算を行った一日あたりの価格及び一月あたりの価格も同時に表示を行う。修正されたサプリメントの配合数が、一日上限摂取量を超える場合には、文字や音声によって警告を行うようにしてもよい。また、服用タイミングごとの配合数が、分包機の分包許容個数を超える場合にも、文字や音声によって警告を行うようにしてもよい。
<実施形態２の処理の流れ>
【００３５】
図９は、実施形態１の処理の流れの一例を示す図である。まず、質問を表示し（質問表示ステップ  Ｓ０９０１）、前記質問に対する回答入力を受け付ける（回答入力受付ステップ  Ｓ０９０２）。次に前記回答入力に基づいてサプリメント組合を示す一次算出結果を算出し、（一次算出ステップ  Ｓ０９０３）、一次算出結果と、その予算額を表示する（一次結果表示ステップ  Ｓ０９０４）。さらに、前記予算額の修正入力を受け付け（予算修正入力受付ステップ  Ｓ０９０５）、前記予算修正入力に基づいてサプリメント組合せを示す二次算出結果を算出し（二次算出ステップ  Ｓ０９０６）、二次算出結果を表示する（二次算出結果表示ステップ  Ｓ０９０７）。最後に、前記二次算出結果のサプリメント組合せの組合修正入力を受け付け（組合修正入力受付ステップ  Ｓ０９０８）、組合修正入力に基づいて組合修正結果を表示する（三次結果表示ステップ  Ｓ０９０９）。実施形態１と同様に予算修正入力は何度でも可能であり、また組合修正入力も何度でも可能である。
<実施形態２の効果>
【００３６】
本実施形態のサプリメントリコメンド装置によれば、購入者の判断によりサプリメントの種類及び数量を決定することができ、自身の好みにあったサプリメント組合せに変更することができる。
≪実施形態３≫
<実施形態３の概要>
【００３７】
Ａさんのベストサプリメントの組み合わせは、一日あたり４３８円であったが、予算修正入力を行い、一日あたり３００円とした。このときのサプリメント組合せが表示されるため、ベストサプリメントの組合せがどのようなものであったかを知ることができ、サプリメント組合せを比較し、どのサプリメントが変更されたのかを知ることができた。
<実施形態３の構成>
【００３８】
図１０本実施形態での機能ブロックの一例を示した。本実施形態の「サプリメントリコメンド装置」（１０００）は、実施形態１を基本とし、「質問表示部」（１００１）と、「回答入力受付部」（１００２）と、「一次算出部」（１００３）と、「一次結果表示部」（１００４）と、「予算修正入力受付部」（１００５）と、「二次算出部」（１００６）とを有し、さらに「第一比較表示部」（１０２０）を有することを特徴とする。
【００３９】
「第一比較表示部」（１０２０）は、一次算出結果（１０１０）と二次算出結果（１０１２）とを取得し、両結果の比較結果に基づいた表示をするように構成されている。ベストサプリメントの組み合わせである一次算出結果と、予算修正入力に基づいて算出されたサプリメントの組み合わせである二次算出結果の比較を行う。比較対象は、例えばサプリメントの種類、配合量、服用タイミング、一日あたりの価格、一月あたりの価格、総カロリーなどをいう。第一比較表示部は、これらの値を比較し、その比較結果をグラフや表にして表示する。図１４は、第一比較表示部の表示の一例を示す図である。１日あたり４３８円と算出された一次算出結果を、予算３００円に修正した場合を示している。第一比較表示部は、一次算出結果と二次算出結果を並べて表示することにより、点線囲われたサプリメントの減数が比較しやすくなっている。再度予算修正入力を行った場合には、一次算出結果と最新のサプリメントの組み合わせとを比較してもよいし、予算修正入力によるサプリメントの組み合わせ履歴を保持し、一次算出結果と予算修正入力によるサプリメントの組み合わせ履歴すべてを比較するようにしてもよい。比較結果とは、上記比較対象そのものの対比の他、予算修正入力によって削除されたサプリメントの種類や、配合量などを表示するようにしてもよい。さらに、削除されたサプリメントを食事で採る場合の食事量のように表示してもよい。
<実施形態３の効果>
【００４０】
本実施形態のサプリメントリコメンド装置によって、予算額を減額した場合にどれだけのサプリメントが減ったかを確認することが容易となる。また、これらの比較結果を参考に、予算額の調整も可能となる。
≪実施形態４≫
<実施形態４の概要>
【００４１】
Ａさんのベストサプリメントは、合計配合量が一日１０錠であったが、組合修正入力を行い、サプリメントの配合量を１５錠に減らした。このときのサプリメント組合せが表示されるため、ベストサプリメントの組合せがどのようなものであったかを知ることができ、サプリメント組合せを比較し、どのサプリメントが変更されたのかを知ることができた。
<実施形態４の構成>
【００４２】
図１１本実施形態での機能ブロックの一例を示した。本実施形態の「サプリメントリコメンド装置」（１１００）は、実施形態２を基本とし、「質問表示部」（１１０１）と、「回答入力受付部」（１１０２）と、「一次算出部」（１１０３）と、「一次結果表示部」（０００４）と、「予算修正入力受付部」（１１０５）と、「二次算出部」（１１０６）と、「二次算出結果表示部」（１１０７）と、「組合修正入力受付部」（１１０８）と、「三次結果表示部」（１１０９）とを有し、さらに「第二比較表示部」（１１２１）を有することを特徴とする。
【００４３】
「第二比較表示部」（１１２１）は、一次算出結果（１１１０）と組合修正結果（１１１３）とを取得し、両結果の比較結果に基づいた表示をするように構成されている。ベストサプリメントの組み合わせである一次算出結果と、組合修正入力に基づいて算出されたサプリメントの組み合わせである組合修正結果の比較を行う。比較対象は、第一比較表示部と同様に、サプリメントの種類、量、一日あたりの価格、一月あたりの価格、総カロリーなどが挙げられる。第二比較表示部は、これらの値を比較し、その比較結果をグラフや表にして表示する。図１５は、第二比較表示部の表示の一例を示す図である。１日あたり４３８円と算出された一次算出結果が左の表として、サプリメントの増減を行った組合修正結果が右の表として示されている。第二比較表示部は、一次算出結果と組合修正結果を並べて表示することにより、点線囲われたサプリメントの減数が比較しやすくなっている。再度組合修正入力を行った場合には、一次算出結果と最新のサプリメントの組み合わせとを比較してもよいし、組合修正入力によるサプリメントの組み合わせ履歴を保持し、一次算出結果と組合修正入力によるサプリメントの組み合わせ履歴すべてを比較するようにしてもよい。また、第一比較表示部の二次算出結果も合わせて比較するようにしてもよい。
【００４４】
また、第一比較表示部と同様に比較結果として、上記比較対象そのものの対比の他、予算修正入力によって削除されたサプリメントの種類や、配合量などを表示するようにしてもよい。さらに、削除されたサプリメントを食事で採る場合の食事量のように表示してもよい。
<実施形態４の効果>
【００４５】
本実施形態のサプリメントリコメンド装置によって、組合修正をした場合にどれだけのサプリメントが減ったかを確認することが容易となる。また、これらの比較結果を参考に、サプリメントの量の調整も可能となる。
≪実施形態５≫
<実施形態５の概要>
【００４６】
Ａさんのベストサプリメントの組み合わせは、一日あたり９００円であった。このとき、Ａさんの現在摂取できていると思われるサプリメントの摂取率と、ベストサプリメントにより補給されるサプリメントの充足率が表示される。これにより、自分の栄養素の摂取状態を知ることができるとともに、服用すべきサプリメントを知ることができ、ベストサプリメントにより、どの程度補給されるかを視覚的に認識することができた。
<実施形態５の構成>
【００４７】
図１２本実施形態での機能ブロックの一例を示した。本実施形態の「サプリメントリコメンド装置」（１２００）は、実施形態１を基本とし、「質問表示部」（１２０１）と、「回答入力受付部」（１２０２）と、「一次算出部」（１２０３）と、「一次結果表示部」（０００４）と、「予算修正入力受付部」（１２０５）と、「二次算出部」（１２０６）とを有し、さらに「充足度表示部」（１２２２）を有することを特徴とする。図１２は実施形態１を基本としているが、実施形態２を基本とするものであってもよい。
【００４８】
「充足度表示部」（１２２２）は、結果に基づいてサプリメント補給により得られる必要な成分の充足度を表示するように構成されている。「結果」とは、サプリメント組合せで示される前記一次算出結果（１２１０）、二次算出結果（１２１２）、組合修正結果（１２１３）をいう。一日上限摂取量から回答から算出したサプリメントの不足量を減算し、一日上限摂取量を１００％とした時の回答者の現在摂取できていると思われるサプリメントの摂取率を算出する。次に、各結果のサプリメントを摂取することによるサプリメントの充足度を算出し、合わせて表示する。充足度は、グラフや表にして表示する。図１６は、充足度表示部の表示の一例を示す図である。サプリメントの服用によって補給される成分の充足度が斜線で示され、サプリメント服用の効果を視覚的に知ることができる。
<実施形態５の効果>
【００４９】
本実施形態のサプリメントリコメンド装置によって、回答者が一日に摂取すべき栄養素をどれだけ不足していると思われるかを知ることができるとともに、サプリメントの服用によりどれだけ充足させることができるかを容易に知ることができる。また、これらの充足度の表示を参考に、回答者がサプリメントの予算額や組み合わせの修正を行うことが可能であるため、回答者納得してサプリメントを購入することができる。
【図面の簡単な説明】
【００５０】
【図１】実施形態１を説明する機能ブロック図
【図２】一次算出部を説明する機能ブロック図
【図３】不足量テーブル、最大不足量テーブル、一日上限摂取量テーブルの一例を表す図
【図４】サプリメントグループの一例を説明する図
【図５】二次算出部の処理の流れを説明する図
【図６】実施形態１の処理の流れを説明する図
【図７】実施形態２を説明する機能ブロック図
【図８】組合修正入力受付部の一例を説明する図
【図９】実施形態２の処理の流れを説明する図
【図１０】実施形態３を説明する機能ブロック図
【図１１】実施形態４を説明する機能ブロック図
【図１２】実施形態５を説明する機能ブロック図
【図１３】質問表示部の表示の一例を示す図
【図１４】第一比較表示部の表示の一例を示す図
【図１５】第二比較表示部の表示の一例を示す
【図１６】充足度表示部の表示の一例を示す図
【符号の説明】
【００５１】
０１００    サプリメントリコメンド装置
０１０１    質問表示部
０１０２    回答入力受付部
０１０３    一次算出部
０１０４    一次結果表示部
０１０５    予算修正入力受付部
０１０６    二次算出部
０１１０    一次算出結果
０１１１    予算額
０１１２    二次算出結果
【図１】
2007058693.tif 000004
【図２】
2007058693.tif 000005
【図３】
2007058693.tif 000006
【図４】
2007058693.tif 000007
【図５】
2007058693.tif 000008
【図６】
2007058693.tif 000009
【図７】
2007058693.tif 000010
【図８】
2007058693.tif 000011
【図９】
2007058693.tif 000012
【図１０】
2007058693.tif 000013
【図１１】
2007058693.tif 000014
【図１２】
2007058693.tif 000015
【図１３】
2007058693.tif 000016
【図１４】
2007058693.tif 000017
【図１５】
2007058693.tif 000018
【図１６】
2007058693.tif 000019